(57)【要約】【課題】外障子の取付け、取外し作業中に誤作業が生じた場合であっても、外障子が室外面への外れることがない安全性に優れた内外し引き違い窓を提供することにある。【解決手段】窓枠１の下枠９上に室外側レール部材７及び室内側レール部材８を設けて、これら各レール部材７，８の上面を、前記下枠９の室内側立ち上がり片の上端とほぼ同一のフラット面とし、室内外障子２，３が前記各レール部材７，８上を走行し、室内側に引き込んで外すようにした内外し引き違い窓であって、  前記室外側レール部材７は、その室外側に前記フラット面より上方に突出する立上がり片４１を有し、  前記外障子３は、その室内側垂下片８２ａが前記室外側レール部材７の室内側に位置して前記フラット面より垂下している、ことを特徴とする内外し引き違い窓【選択図】図３
2009243168.tif 000002
【特許請求の範囲】
【請求項１】
窓枠の下枠上に室外側レール部材及び室内側レール部材を設けて、これら各レール部材の上面を、前記下枠の室内側立ち上がり片の上端とほぼ同一のフラット面とし、室内外障子が前記各レール部材上を走行し、室内側に引き込んで外すようにした内外し引き違い窓であって、
前記室外側レール部材は、その室外側に前記フラット面より上方に突出する立上がり片を有し、
前記外障子は、その室内側垂下片が前記室外側レール部材の室内側に位置して前記フラット面より垂下している、ことを特徴とする内外し引き違い窓。
【請求項２】
前記外障子の上方への呑み込み限に対して、前記室内側垂下片の下端より、前記立上がり片の上端が上位に位置している請求項１記載の内外し引き違い窓。
【請求項３】
前記外障子の上方への呑み込み限に対して、前記室外側垂下片の下端より、前記立上がり片の上端が上位に位置している請求項１記載の内外し引き違い窓。
【請求項４】
網戸を備え、前記立上がり片上に沿って前記網戸が走行するように構成した請求項１及至３のいずれか１項に記載の内外し引き違い窓。
【請求項５】
前記室外側レール部材は、前記下枠に対して着脱自在である請求項１及至４のいずれか１項に記載の内外し引き違い窓。
【発明の詳細な説明】
【技術分野】
【０００１】
本発明は、建築物の屋外開口部に取付けた窓枠内を内外障子がスライド開閉する内外し引き違い窓の構造に関し、特に、窓枠の下枠の上面が略フラット面に形成したバリアフリー内外し引き違い窓における外障子の室外側へのはずれ防止構造に関するものである。
【背景技術】
【０００２】
従来、建築物の屋外開口部に取付けた窓枠の下枠には、当該内外障子を左右にスライドさせるために、内外障子の下框に設けられた戸車を回動させるリブ状のレール部が形成されており、通常、リブ状のレール部は、引き違い窓の雨仕舞の観点より、室外側よりも室内側が高くなるように段差を設けて形成されていた。
【０００３】
一方、近年では、バリアフリー若しくはユニバーサルデザインの観点から、リブ状のレール部を室外側と室内側で段差を設けることなく窓枠の下枠を略フラットに形成した屋外用バリアフリーサッシが開発されている。（例えば、特許文献１参照）
このような、屋外用バリアフリーサッシにおいては、内外障子を窓枠の上枠のレールに沿って上方に移動させ、内外障子のスライド片をスライド溝に挿入することにより簡単に内外障子をサッシ枠内に容易に取付けることができ、また、内外障子を窓枠の上枠のレールに沿って上方に移動させ、内外障子のスライド片をスライド溝からし室内側に引抜することにより簡単に内外障子を窓枠内から容易に取外すことができる。
【０００４】
また、内外障子と窓枠との隙間から室内側に虫等が浸入するのを防止するため、窓枠の下枠に凹部を形成し網戸の垂下片を嵌合した網戸付き屋外用バリアフリーサッシも開発されている。（例えば、特許文献２参照）
【特許文献１】特開２００２−２５６７７８号公報
【特許文献２】特開２００２−２５６７８４号公報
【発明の開示】
【発明が解決しようとする課題】
【０００５】
しかし、特に、外障子のサッシ枠内への取付け作業中の誤作業により外障子が室外側に外れ、落下する虞があり、特に高層階、高窓の外障子が落下した場合、二次的災害を引き起こす虞もある。
例えば、外障子のサッシ枠内への取付け作業において、外障子のスライド片がスライド溝に挿入されなかった場合、外障子が室外側に外れ落下する虞がある。また、外障子のサッシ枠内からの取外し作業において、外障子をスライド溝から室外側に引抜いた場合、外障子が室外側に外れ落下する虞がある。
【０００６】
そこで、本発明の主たる課題は、外障子のサッシ枠内への取付け及び取外し作業中に誤作業が生じた場合であっても、外障子が室外面への外れることがない安全性に優れた内外し引き違い窓を提供することにある。
【課題を解決するための手段】
【０００７】
上記課題を解決した本発明は、次のとおりである。
＜請求項１記載の発明＞
請求項１記載の発明は、窓枠の下枠上に室外側レール部材及び室内側レール部材を設けて、これら各レール部材の上面を、前記下枠の室内側立ち上がり片の上端とほぼ同一のフラット面とし、室内外障子が前記各レール部材上を走行し、室内側に引き込んで外すようにした内外し引き違い窓であって、
前記室外側レール部材は、その室外側に前記フラット面より上方に突出する立上がり片を有し、
前記外障子は、その室内側垂下片が前記室外側レール部材の室内側に位置して前記フラット面より垂下している、ことを特徴とする内外し引き違い窓である。
【０００８】
（作用効果）
窓枠の下枠上に室外側レール部材及び室内側レール部材を設けて、これら各レール部材の上面を、前記下枠の室内側立ち上がり片の上端とほぼ同一のフラット面としていることから、バリアフリーを実現でき、また、ユニバーサルデザインの観点からも優れたものである。
【０００９】
室外側レール部材は、その室外側にフラット面より上方に突出する立上がり片を有していることから、外障子の取付け及び取外し作業中の誤作業により、外障子が室外に外れ、落下することがなく安全性に優れる。
また、室外側から室外側レール部材と外障子との隙間にバール塔を差し込み、外障子を外される危険もなく防犯性に優れる。  
【００１０】
外障子は、その室内側垂下片が室外側レール部材の室内側に位置してフラット面より垂下していることから、外障子は下枠に形成された外障子走行溝に沿って左右に容易に閉開でき、閉開時において外障子は窓枠から外れることがなく安全性に優れる。
【００１１】
＜請求項２記載の発明＞
請求項２記載の発明は、前記外障子の上方への呑み込み限に対して、前記室内側垂下片の下端より、前記立上がり片の上端が上位に位置している請求項１記載の内外し引き違い窓である。
【００１２】
（作用効果）
外障子の上方への呑み込み限に対して、室内側垂下片の下端より、立上がり片の上端が上位に位置していることから、外障子の取付け及び取外し作業中の誤作業により、外障子が室外に外れ、落下することがなく安全性に優れる。
また、立上がり片の立上がり長さを短くすることができ、ユニバーサルデザインの観点からも優れる。
【００１３】
＜請求項３記載の発明＞
請求項３記載の発明は、前記外障子の上方への呑み込み限に対して、前記室外側垂下片の下端より、前記立上がり片の上端が上位に位置している請求項１記載の内外し引き違い窓である。
【００１４】
（作用効果）
外障子の上方への呑み込み限に対して、室外側垂下片の下端より、立上がり片の上端が上位に位置していることから、特に、外障子の取付け及び取外し作業中の誤作業により、外障子が室外に外れ、落下することがなく安全性に優れる。
また、外障子の室外方向移動距離（角度）が小さい段階で、立上がり片により外障子が係止されるため、作業者に誤作業をいち早く認識させることができ、取付け及び取外し作業効率が高い内外し引き違い窓を実現する。
さらに、外障子の取付け及び取外し作業中の誤作業により外障子に室外方向に大きな荷重が加わり、外障子の下框の室外側垂下片と、室外側レール部材の立上がり片とが係合が外れた場合にあっても、外障子の下框の室内側垂下片と、室外側レール部材の立上がり片とが係合することにより外障子が室外に外れ、落下することはない。
【００１５】
＜請求項４記載の発明＞
請求項４記載の発明は、網戸を備え、前記立上がり片上に沿って前記網戸が走行するように構成した請求項１及至３のいずれか１項に記載の内外し引き違い窓である。
【００１６】
（作用効果）
網戸を備え、突出部上に沿って網戸が走行するように構成したことから、網戸走行レールを別段に設ける必要がなく製造コストを低減でき経済的に優れる。
【００１７】
＜請求項５記載の発明＞
請求項５記載の発明は、前記室外側レール部材は、前記下枠に対して着脱自在である請求項１及至４のいずれか１項に記載の内外し引き違い窓である。
【００１８】
（作用効果）
室外側レール部材は、下枠に対して着脱自在であることから、室外側レール部材の損傷時に室外側レール部材の交換が容易にできる。
また、室外側レール部材は、立上がり片を形成していない従来品と互換性があり、掃出し窓とする場合には、室外側レール部材を従来品に交換することにより容易にバリアフリーにすることができる。
【発明の効果】
【００１９】
本発明によれば、外障子の取付け、取外し作業中に誤作業が生じた場合であっても、外障子が室外面への外れることがない安全性に優れた内外し引き違い窓を提供することができる。
【発明を実施するための最良の形態】
【００２０】
以下、本発明の実施の形態を説明する。
図１は内外し引き違い窓の縦断面図、図２は同上部拡大縦断面図、図３は同下部拡大縦断面図、図４は室外側レール部材であり、図５は内外し引き違い窓の横断面図である。
【００２１】
内外し引き違い窓は、窓枠１と、窓枠１に嵌合された内外障子２，３から構成されている。
【００２２】
窓枠１は、上枠４と、下枠５と、左右堅枠６とを四周枠組みして形成され、さらに、下枠５は、室外側レール部材（目板）７と、室内側レール部材８がそれぞれ下部下枠９に上方から挿嵌されている。また、窓枠１には、内外障子２，３が引き違い状に備えている。
【００２３】
内外障子２，３は、上框１０ａ，１０ｂと、下框１１ａ，１１ｂと、召し合わせ框１２と、戸先框１３ａ，１３ｂを四周框組みし形成し、ガラスパネル１４ａ，１４ｂが框に挿嵌されている。
そして、内外障子２，３は、内外障子２，３を閉じた際に、それぞれの召し合せ框１２ａ，１２ｂに設けたクレセント（図示省略）により施錠される。
【００２４】
（上枠）
図１及び図２に示すように、上枠４は、外側基板２０と、室外側から順に、室外側垂下片２１と、室外側中間垂下片２２と、室内側中間垂下片２３と、室内側垂下片２４とから形成され、外側基板２０と、室内側中間垂下片２３と、室内側垂下片２４が内障子３の内障子走行溝２５を形成している。
また、外側基板２０の下面上の室外側中間垂下片２２と室内側中間垂下片２３との間、室内側中間垂下片２３と室内側垂下片２４との間にはそれぞれ内外障子２，３の上方への移動を抑制するストッパー２６が設けられている。
【００２５】
（上框）
内外障子２，３の上框１０ａ，１０ｂは、中空部３０ａ，３０ｂと、中空部３０ａ，３０ｂから上方に立ち上がる立上がり片３１ａ，３１ｂと、中空部から垂下する垂下片３２ａ，３２ｂから形成されている。
【００２６】
上框１０ａの立上がり片３１ａの間には、室外側ダイス３３が挿嵌され、上框１０ｂの立上がり片３１ｂには、室内側ダイス３４が嵌合されている。
また、室外側ダイス３３には、上面から切抜き部３５が形成されている。
【００２７】
（上枠と上框との係合）
上枠４の室内側中間垂下片２３が、立上がり片３１ａの間に挿嵌された室外側ダイス３３の切抜き部３５に挿嵌されており、外障子２が室内側中間垂下片２３に沿って左右閉開される。
また、上枠４の室内側中間垂下片２３の室外面に設けられた上枠タイト材２７が、上框１０ａの室内側立上がり片３１ａの室内面に摺接しており、室外の雨水等の浸入を防止する水密ラインが形成されている。
【００２８】
内障子走行溝２５に、上框１０ｂの立上がり片３１ｂが挿嵌されており、内障子３が内障子走行溝２５に沿って左右閉開される。
上框１０ｂの室外側立上がり片３１ｂの室内側ダイス３４が、上枠４の室外側中間垂下片２２の室内面に摺接しており、内障子３が内障子走行溝２５で室外方向への移動を抑制している。
また、上枠４の室内側垂下片２４の室外面に設けられた上枠タイト材２７が、上框１０ｂの室内側立上がり片３１ｂの室内面に摺接しており、室外の雨水等の浸入を防止する水密ラインが形成されている。
【００２９】
（室外側レール部材）
図１、図３及び図４に示すように、室外側レール部材７は、基板４０と、立上がり片４１と、室外側垂下片４２と、室内側垂下片４３が形成されている。
また、基板４０の上面には、外障子戸車４４が走行する凸状の外障子走行レール４５が形成され、立上がり片４１には、基板４０から上方に立上がる立上がり部４６と、立上がり部４６の先端から室外方向に延在する水平部４７と、水平部４７の先端から下方に垂下する立ち下がり部４８から形成されている。
さらに、図４に示すように、室外側レール部材７は従来品と互換性があり、掃出し窓とする場合には、室外側レール部材を従来品に交換することにより容易にバリアフリーに変更可能である。
なお、図４（ａ）には従来品を示し、室外側レール部材７との相違を明らかにするために同一部材には、同一符号を付している。
【００３０】
（室内側レール部材）
図１及び図３に示すように、室内側レール部材８は、基板５０と、室外側垂下片５１と、室内側垂下片５２が形成されている。
また、基板５０の上面には、内障子戸車５３が走行する凸状の内障子走行レール５４が形成されている。
【００３１】
（下部下枠）
図１及び図３に示すように、下部下枠９は、中空部６０と、室外側から順に、室外側立上がり片６１と、第１中間立上がり片６２と、第２中間立上がり片６３と、第３中間立上がり片６４と、室内側立上がり片６５を形成されている。
また、室外側立上がり片６１には、中空部６０から上方に立ち上がる立上がり部６６と、立上がり部６６の先端から室外方向に延在する水平部６７が形成され、水平部６７は室外側レール部材７の立ち下がり部４８の先端と当接している。
さらに、第２中間立上がり片６３の先端部の室外面には下枠タイト材６８が設けられ、室内側立上がり片６５の先端部の室外面には下枠タイト材６９が設けられている。
【００３２】
（室外側レール部材及び室内側レール部材と下部下枠との挿嵌）
室外側レール部材７及び室内側レール部材８はそれぞれ下部下枠９に挿嵌され、下部下枠９の上面に室外側から順に、室外側中空部７０と、外障子走行溝７１と、室内側中空部７２と、内障子走行溝７３を形成し、室外側立上がり片６１の水平部６７は、室外側レール部材７の立ち下がり部４８の先端と当接する。
ここで、室外側中空部７０とは、下部下枠９の中空部６０の上面と、第１中間立上がり片６２の室外面と、室外側レール部材７の室外側垂下片４２の室内面と、基板４０の下面と、室内側垂下片４３の室外面とで囲まれる空間をいい、外障子走行溝７１とは、下部下枠９の第１中間立上がり片６２の室内面と、中空部６０の上面と、第２中間立上がり片６３の室外面と、室外側レール部材７の室外側垂下片４２と、基板４０の下面とで囲まれる空間をいう。
また、室内側中空部７２とは、下部下枠９の中空部６０の上面と、第３中間立上がり片６４の室外面と、室内側レール部材８の室外側垂下片５１の室内面と、基板５０の下面と、室外側垂下片５１の室外面とで囲まれる空間をいい、内障子走行溝７３とは、下部下枠９の第３中間立上がり片６４の室内面と、中空部６０の上面と、室内側立上がり片６５の室外面と、室内側レール部材８の室外側垂下片５２の室内面と、基板５０の下面とで囲まれる空間をいう。
さらに、室外側レール部材７と、室内側レール部材８と、下部下枠９を一体的に成形し、下枠５を成形できることは言うまでもない。
【００３３】
（下框）
図１及び図３に示すように、内外障子２，３の下框１１ａ，１１ｂは、それぞれ中空部８０ａ，８０ｂと、中空部８０ａ，８０ｂから上方に立ち上がる立上がり片８１ａ，８１ｂと、
中空部８０ａ，８０ｂから垂下する垂下片８２ａ，８２ｂが形成されている。
下框１１ａ，１１ｂの立上がり片８１ａ，８１ｂと、上框１０ａ，１０ｂの垂下片３２ａ，３２ｂには、それぞれガラスパネル１４ａ，１４ｂが挿嵌されている。
室外側垂下片８２ａ，８２ｂの垂下長さは、室内側垂下片８２ａ，８２ｂの垂下長さに比較し短く形成されており、室外側垂下片８２ａ，８２ｂの先端部には、それぞれ水切りタイト材８３ａ，８３ｂが設けられている。
【００３４】
（下枠と下框との係合）
室内側垂下片８２ａ，８２ｂは、それぞれ下枠５に形成された外障子走行溝７１と、内障子走行溝７３に挿嵌されており、内外障子２，３はそれぞれ外障子走行溝７１と、内障子走行溝７３に沿って左右閉開される。
室内側垂下片８２ａ，８２ｂも室内面には、前述した下枠５の第２中間立上がり片６３の下枠タイト材６８と室内側立上がり片６５の下枠タイト材６９とが摺接し、室外の雨水等が、外障子走行溝７１と室内障子走行溝７３への浸入を防止する。外障子走行レール４５の上部、内障子走行レール５４の上部への浸透を防止している。
室外側垂下片８２ａ，８２ｂの水切りタイト材８３ａ，８３ｂは、それぞれ下枠５の基板４０の上面と基板５０の上面と摺接し、室外の雨水等が、外障子走行レール４５の上部、内障子走行レール５４の上部への浸入を防止している。
【００３５】
（召し合せ框）
図５に示すように、外障子２の召し合せ框９０ａの室内面には、煙返し９１ａと、その内側に突出片９２が形成されている。
内障子３の召し合せ框９０ｂの室外面には、堅タイト材９３と、その内側に気密ブロック９４（図示省略）が設けられ、その内側に煙返し９１ｂが形成されている。
【００３６】
外障子２の煙返し９１ａと内障子３の煙返し９１ｂとは、外障子２と内障子３を閉じた状態で係合する。
従って、外障子２に加わる風圧を、方立てが小さい外障子２の召し合せ框９０ａと方立てが大きい内障子３の召し合せ框９０ｂとで受けることができる。
【００３７】
外障子２の召し合せ框９０ａに突出片９２が形成されている。従って、雨水等の多くは、突出片９２に衝突しその運動エネルギーを失い、雨水等の召し合せ框空間への浸入を防止することができる。
さらに、外障子２の召し合せ框９０ａに突出片９２が形成されていることから、外障子２と内障子３との隙間をなくしており、バール等が差し込まれる虞もなく、防犯性を向上させている。
ここで、召し合せ框空間とは、外障子２の召し合せ框９０ａの室内面と、突出片８５と、堅タイト材９３と、内障子３の召し合せ框９０ｂの室外面とで囲まれる略コ字状の空間をいう。
【００３８】
外障子２の突出片９２を越えて召し合せ框空間に浸入した雨水等は、召し合せ框空間内で、自重により等圧空間とされた召し合せ框空間の下方に自然落下し、召し合せ框空間内に貯まり、水抜き孔９５（図示省略）から室外に排出される。
【００３９】
堅タイト材９３は、外障子２と内障子３を閉じた状態で、外障子２の召し合せ框９０ａの室内面に摺接する。
従って、外障子２の召し合せ框９０ａと内障子３の召し合せ框９０ｂとは、堅タイト材９３により水密ラインを形成し、外障子２の突出片９２を越えて召し合せ框空間に浸入した雨水等の室内への浸透を防止する。
【００４０】
気密ブロック９４は、外障子２の召し合せ框９０ａの室内面と、堅タイト材９３とに摺接することにより水密ラインを形成し、召し合せ框空間に浸入した雨水等が召し合せ框９０ａ，９０ｂの側部から室内への浸入を防止する。
また、気密ブロック９４は、内障子走行レール５４が形成されている室内側レール部材８の基板５０の上面と摺接することにより水密ラインを形成し、召し合せ框空間に浸入した雨水等が召し合せ框９０ｂの底部から室内への浸入を防止する。
【００４１】
図６は、上部下枠の立上がり片と外障子の室内側垂下片の係合状態図である。
【００４２】
窓枠１に外障子２を取付けるには、外障子２を上枠４の室内側垂下片２１に沿って上方に移動させ、外障子２の室外側ダイス３３の切抜き部３５を室内側垂下片２１に挿嵌することにより行う。また、窓枠１から外障子２を取り外すには、室外側ダイス３３の切抜き部３５を室内側垂下片２１から取外し、外障子２を上枠４の室内側垂下片２１に沿って下方に移動させることにより行う。
【００４３】
窓枠１に内障子３を取付けるには、内障子３を上枠４の内障子走行溝２５に沿って上方に移動させ、内障子３の立上がり片３１ｂを内障子走行溝２５に挿嵌することにより行う。また、窓枠１から内障子３を取り外すには、内障子３の立上がり片３１ｂを内障子走行溝２５から取外し、内障子３を上枠４の内障子走行溝２５に沿って下方に移動させることにより行う。
【００４４】
図６に示すように、外障子２の取付け又は取外し作業中の誤作業により、外障子２が室外方向に押された場合にあっても、外障子２の下框１１ａの室内側垂下片８２ａが、下枠５の室外側レール部材７に形成された立上がり片４１に係止することにより、外障子２が室外方向に外れることがなく、室外側から室外側レール部材７と外障子２との隙間にバール塔を差し込み、外障子を外される虞もない。
また、室外側レール部材７に形成された立上がり片４１は、室外側レール部材７の基板４０から上方に立上がる立上がり部４６と、立上がり部４６の先端から室外方向に延在する水平部４７と、水平部４７の先端から下方に垂下する立ち下がり部４８から形成されており断面２次モーメントが大きく、外障子２を介して立上がり片４１に作用する力に対し変形量が小さい。
さらに、室外側レール部材７に形成された立上がり片４１の立ち下がり部４８が、下部下枠９に形成された水平部６７により支持されていることから、外障子２を介して立上がり片４１に作用する力に対し変形量が抑制され、確実に外障子２が室外方向に外れることを防止する。
従って、特に高層建築物において、外障子２が室外面への外れ落下することがなく安全性に優れた内外し引き違い窓を提供することができる。
【００４５】
本発明の第２の実施形態を、図７〜図１２に示す。図７は本発明の第２の形態の内外し引き違い窓の縦断面図、図８は同上部拡大縦断面図、図９は同下部拡大縦断面図、図１０は本発明の第２の形態の室外側レール部材であり、図１１は本発明の第２の形態の内外し引き違い窓の横断面図である。なお、同一部材には同一符号を付し、説明は省略する。
【００４６】
図７及び図８に示すように、本発明の第２の実施形態の内外し引き違い窓は、窓枠１と、窓枠１に嵌合された内外障子２，３と網戸１５から構成されている。
【００４７】
窓枠１は、上枠４と、下枠５と、左右堅枠６とを四周枠組みして形成され、さらに、下枠５は、室外側レール部材１００と、室内側レール部材８がそれぞれ下部下枠９に上方から挿嵌されている。また、窓枠１には、内外障子２，３が引き違い状に備えられており、外障子２の室外側に網戸１５が備えられている。
【００４８】
内外障子２，３は、上框１０ａ，１０ｂと、下框１１ａ，１１ｂと、召し合わせ框１２ａ，１２ｂと、戸先框１３ａ，１３ｂを四周框組みし形成し、ガラスパネル１４ａ，１４ｂが框に挿嵌されている。
そして、内外障子２，３は、内外障子２，３を閉じた際に、それぞれの召し合せ框１２ａ，１２ｂに設けたクレセント（図示省略）により施錠される。
【００４９】
網戸１５は、網戸上框１６と、網戸下框１７と、網戸堅框１８を四周框組みし形成し、網１９が框に挿張りされ、網戸上框１６が、前述した上枠４の室内側垂下片２１に挿嵌され、網戸下框１７が、前述した下枠５の室外側レール部材１００の立上がり片４１に挿嵌されており、室外側レール部材１００の立上がり片４１に沿って左右にスライドすることができる。
【００５０】
（室外側レール部材）
図７、図９及び図１０に示すように、室外側レール部材１００は、基板１０１と、立上がり片１０２と、室外側垂下片１０３と、室内側垂下片１０４が形成されている。
また、基板１０１の上面には、外障子戸車４４が走行する凸状の外障子走行レール１０５が形成され、立上がり片１０２には、網戸１５の網戸下框１７を挿嵌することができる。
さらに、図１０に示すように、室外側レール部材１００は従来品と互換性があり、掃出し窓とする場合には、室外側レール部材を従来品に交換することにより容易にバリアフリーに変更可能である。
なお、図１０（ａ）には従来品を示し、室外側レール部材１００との相違を明らかにするために同一部材には、同一符号を付している。
【００５１】
（室外側レール部材及び室内側レール部材と下部下枠との挿嵌）
室外側レール部材１００及び室内側レール部材８はそれぞれ下部下枠９に挿嵌され、下部下枠９の上面に室外側から順に、室外側中空部７０と、外障子走行溝７１と、室内側中空部７２と、内障子走行溝７３を形成し、室外側立上がり片６１の水平部６７は、室外側レール部材１００の立ち下がり部４８の先端と当接する。
ここで、室外側中空部７０とは、下部下枠９の中空部６０の上面と、第１中間立上がり片６２の室外面と、室外側レール部材１００の室外側垂下片１０３の室内面と、基板１０１の下面と、室内側垂下片１０４の室外面とで囲まれる空間をいい、外障子走行溝７１とは、下部下枠９の第１中間立上がり片６２の室内面と、中空部６０の上面と、第２中間立上がり片６３の室外面と、室外側レール部材１００の室外側垂下片１０３と、基板１０１の下面とで囲まれる空間をいう。
また、室内側中空部７２とは、下部下枠９の中空部６０の上面と、第３中間立上がり片６４の室外面と、室内側レール部材８の室外側垂下片５１の室内面と、基板５０の下面と、室外側垂下片５１の室外面とで囲まれる空間をいい、内障子走行溝７３とは、下部下枠９の第３中間立上がり片６４の室内面と、中空部６０の上面と、室内側立上がり片６５の室外面と、室内側レール部材８の室外側垂下片５２の室内面と、基板５０の下面とで囲まれる空間をいう。
さらに、室外側レール部材１００と、室内側レール部材８と、下部下枠９を一体的に成形し、下枠５を成形できることは言うまでもない。
【００５２】
図１２に示すように、外障子２の取付け又は取外し作業中の誤作業により、外障子２が室外方向に押された場合にあっても、外障子２の下框１１ａの室内側垂下片８２ａが、下枠５の室外側レール部材１００に形成された立上がり片１０２に係止することにより、外障子２が室外方向に外れることがなく、室外側から室外側レール部材７と外障子２との隙間にバール塔を差し込み、外障子を外される虞もない。
また、後述する室外側レール部材１１０に形成された立上がり片１１２に比較し、立上がり寸法が短く形成されており、下枠の上面が略フラット面に形成したバリアフリー性能を維持し、外障子２を介して立上がり片１０２に作用する力に対し変形量が小さく、確実に外障子２の室外方向に外れを防止することができる。
さらに、前述したように室外側レール部材１００に形成された立上がり片１０２に、網戸１５の網戸下框１７を挿嵌し、網戸１５を取付けることができる。
従って、特に高層建築物において、外障子２が室外面への外れ落下することがなく安全性に優れ、網戸を設けることができる内外し引き違い窓を提供することができる。
【００５３】
本発明の第２の実施形態を、図１３〜図１８に示す。図１３は本発明の第３の形態の内外し引き違い窓の縦断面図、図１４は同上部拡大縦断面図、図１５は同下部拡大縦断面図、図１６は本発明の第３の形態の室外側レール部材であり、図１７は本発明の第３の形態の内外し引き違い窓の横断面図である。なお、同一部材には同一符号を付し、説明は省略する。
【００５４】
図１３及び図１４に示すように、本発明の第３の実施形態の内外し引き違い窓は、第２の実施形態と同様に窓枠１と、窓枠１に嵌合された内外障子２，３と網戸１５から構成されている。
【００５５】
窓枠１は、上枠４と、下枠５と、左右堅枠６とを四周枠組みして形成され、さらに、下枠５は、室外側レール部材１１０と、室内側レール部材８がそれぞれ下部下枠９に上方から挿嵌されている。また、窓枠１には、内外障子２，３が引き違い状に備えられており、外障子２の室外側に網戸１５が備えられている。
【００５６】
内外障子２，３は、上框１０ａ，１０ｂと、下框１１ａ，１１ｂと、召し合わせ框１２ａ，１２ｂと、戸先框１３ａ，１３ｂを四周框組みし形成し、ガラスパネル１４ａ，１４ｂが框に挿嵌されている。
そして、内外障子２，３は、内外障子２，３を閉じた際に、それぞれの召し合せ框１２ａ，１２ｂに設けたクレセント（図示省略）により施錠される。
【００５７】
網戸１５は、網戸上框１６と、網戸下框１７と、網戸堅框１８を四周框組みし形成し、網１９が框に挿張りされ、網戸上框１６が、前述した上枠４の室内側垂下片２１に挿嵌され、網戸下框１７が、前述した下枠５の室外側レール部材１１０の立上がり片４１に挿嵌されており、室外側レール部材１１０の立上がり片４１に沿って左右にスライドすることができる。
【００５８】
（室外側レール部材）
図１３、図１５及び図１６に示すように、室外側レール部材１１０は、基板１１１と、立上がり片１１２と、室外側垂下片１１３と、室内側垂下片１１４が形成されている。
また、基板１１１の上面には、外障子戸車４４が走行する凸状の外障子走行レール１１５が形成され、立上がり片１１２には、網戸１５の網戸下框１７を挿嵌することができる。
さらに、図１６に示すように、室外側レール部材１１０は従来品と互換性があり、掃出し窓とする場合には、室外側レール部材を従来品に交換することにより容易にバリアフリーに変更可能である。
なお、図１６（ａ）には従来品を示し、室外側レール部材１１０との相違を明らかにするために同一部材には、同一符号を付している。
【００５９】
（室外側レール部材及び室内側レール部材と下部下枠との挿嵌）
室外側レール部材１１０及び室内側レール部材８はそれぞれ下部下枠９に挿嵌され、下部下枠９の上面に室外側から順に、室外側中空部７０と、外障子走行溝７１と、室内側中空部７２と、内障子走行溝７３を形成し、室外側立上がり片６１の水平部６７は、室外側レール部材１１０の立ち下がり部４８の先端と当接する。
ここで、室外側中空部７０とは、下部下枠９の中空部６０の上面と、第１中間立上がり片６２の室外面と、室外側レール部材１１０の室外側垂下片１１３の室内面と、基板１１１の下面と、室内側垂下片１１４の室外面とで囲まれる空間をいい、外障子走行溝７１とは、下部下枠９の第１中間立上がり片６２の室内面と、中空部６０の上面と、第２中間立上がり片６３の室外面と、室外側レール部材１１０の室外側垂下片１１３と、基板１１１の下面とで囲まれる空間をいう。
また、室内側中空部７２とは、下部下枠９の中空部６０の上面と、第３中間立上がり片６４の室外面と、室内側レール部材８の室外側垂下片５１の室内面と、基板５０の下面と、室外側垂下片５１の室外面とで囲まれる空間をいい、内障子走行溝７３とは、下部下枠９の第３中間立上がり片６４の室内面と、中空部６０の上面と、室内側立上がり片６５の室外面と、室内側レール部材８の室外側垂下片５２の室内面と、基板５０の下面とで囲まれる空間をいう。
さらに、室外側レール部材１１０と、室内側レール部材８と、下部下枠９を一体的に成形し、下枠５を成形できることは言うまでもない。
【００６０】
図１８に示すように、外障子２の取付け又は取外し作業中の誤作業により、外障子２が室外方向に押された場合にあっても、外障子２の下框１１ａの室外側垂下片８２ａが、下枠５の室外側レール部材１１０に形成された立上がり片１１２に係止することにより、外障子２が室外方向に外れることがなく、室外側から室外側レール部材７と外障子２との隙間にバール塔を差し込み、外障子を外される虞もない。
また、外障子の室外方向移動距離（角度）が小さい段階で、立上がり片により外障子が係止されるため、作業者に誤作業をいち早く認識させることができ、取付け及び取外し作業効率が高い内外し引き違い窓を実現する。
さらに、外障子２の下框１１ａの室外側垂下片８２ａと、下枠５の室外側レール部材１１０に形成された立上がり片１１２に係合が外れた場合にあっても、外障子２の室内側垂下片８２ａと、下枠５の室外側レール部材１１０に形成された立上がり片１１２とが係止することにより外障子２が室外方向に外れることがない。
前述したように室外側レール部材１１０に形成された立上がり片１１２に、網戸１５の網戸下框１７を挿嵌し、網戸１５を取付けることができる。
従って、特に高層建築物において、外障子２が室外面への外れ落下することがなく安全性に優れ、網戸を設けることができる内外し引き違い窓を提供することができる。
【００６１】
なお、本発明の水密構造は、引き違い障子に限らず、片引きサッシの片引き障子又は引き分けサッシの引き分け障子の召し合せ框にも適用できることは言うまでもない。    
【図面の簡単な説明】
【００６２】
【図１】内外し引き違い窓の縦断面図である。
【図２】同上部拡大縦断面図である。
【図３】同下部拡大縦断面図である。
【図４】（ａ）は従来品、（ｂ）は本発明に係る室外側レール部材である。
【図５】内外し引き違い窓の横断面図である。
【図６】本発明に係る室外側レール部材の立上がり片と外障子の室内側垂下片の係止状態図である。
【図７】第２の形態の内外し引き違い窓の縦断面図である。
【図８】同上部拡大縦断面図である。
【図９】同下部拡大縦断面図である。
【図１０】（ａ）は従来品、（ｂ）は第２の形態に係る室外側レール部材である。
【図１１】第２の形態の内外し引き違い窓の横断面図である。
【図１２】第２の形態に係る室外側レール部材の立上がり片と外障子の室内側垂下片の係止状態図である。
【図１３】第３の形態の内外し引き違い窓の縦断面図である。
【図１４】同上部拡大縦断面図である。
【図１５】同下部拡大縦断面図である。
【図１６】（ａ）は従来品、（ｂ）は第３の形態に係る室外側レール部材である。
【図１７】第３の形態の内外し引き違い窓の横断面図である。
【図１８】本発明の第３の形態に係る室外側レール部材の立上がり片と外障子の室内側垂下片の係止状態図である。
【符号の説明】
【００６３】
１…窓枠、２…外障子、３…内障子、４…上枠、５…下枠、６…竪枠、７…室外側レール部材（目板）、８…室内側レール部材、９…下部下枠（下枠）、１０ａ，１０ｂ…上框、１１ａ，１１ｂ…下框、１２…召し合せ框、１３ａ，１３ｂ…戸先框、１４ａ，１４ｂ…ガラスパネル、１５…網戸、１６…網戸上框、１７…網戸下框、１８…網戸堅框、１９…網、２０…外側基板、２１…室内側垂下片、２２…室外側中間垂下片、２３…室内側中間垂下片、２４…室外側垂下片、２５…内障子走行溝、２６…ストッパー、２７…上枠タイト材、３０ａ，３０ｂ…中空部、３１ａ，３１ｂ…立上がり片、３２ａ，３２ｂ…垂下片、３３…室外側ダイス、３４…室内側ダイス、３５…切抜き部、４０…基板、４１…立上がり片、４２…室外側垂下片、４３…室内側垂下片、４４…外障子戸車、４５…外障子走行レール、４６…立上がり部、４７…水平部、４８…立ち下がり部、５０…基板、５１…室外側垂下片、５２…室内側垂下片、５３…内障子戸車、５４…内障子走行レール、６０…中空部、６１…室外側立上がり片、６２…第１中間立上がり片、６３…第２中間立上がり片、６４…第３中間立上がり片、６５…室内側立上がり片、６６…立上がり部、６７…水平部、６８，６９…下枠タイト材、７０…室外側中空部、７１…外障子走行溝、７２…室内側中空部、７３…内障子走行溝、８０ａ，８０ｂ…中空部、８１ａ，８１ｂ…立上がり片、８２ａ，８２ｂ…垂下片、８３ａ，８３ｂ…水切りタイト材、９０ａ，９０ｂ…召し合せ框、９１ａ，９１ｂ…煙返し、９２…突出片、９３…堅タイト材、９４…気密ブロック、９５…水抜き孔、１００…室外側レール部材、１０１…基板、１０２…立上がり片、１０３…室外側垂下片、１０４…室内側垂下片、１０５…外障子走行レール、１１０…室外側レール部材、１１１…基板、１１２…立上がり片、１１３…室外側垂下片、１１４…室内側垂下片、１１５…外障子走行レール
【図１】
2009243168.tif 000003
【図２】
2009243168.tif 000004
【図３】
2009243168.tif 000005
【図４】
2009243168.tif 000006
【図５】
2009243168.tif 000007
【図６】
2009243168.tif 000008
【図７】
2009243168.tif 000009
【図８】
2009243168.tif 000010
【図９】
2009243168.tif 000011
【図１０】
2009243168.tif 000012
【図１１】
2009243168.tif 000013
【図１２】
2009243168.tif 000014
【図１３】
2009243168.tif 000015
【図１４】
2009243168.tif 000016
【図１５】
2009243168.tif 000017
【図１６】
2009243168.tif 000018
【図１７】
2009243168.tif 000019
【図１８】
2009243168.tif 000020